(57)【要約】【課題】眼鏡のテンプルに的確に取付け可能であると共に、着脱容易でかつ使用性に優れるイヤホンコード保持具の提供を目的とする。【解決手段】本発明のイヤホンコード保持具は、眼鏡のテンプルに取り付けられると共にイヤホンコードを保持する合成樹脂製の保持具本体を備え、上記保持具本体が、側方に向けて開口し上記テンプルに外嵌着されるテンプル取付溝と、上方に向けて開口すると共にテンプル取付溝の形成方向に沿って形成されるイヤホンコード保持溝とを有する。上記保持具本体がポリ塩化ビニルを主成分として含むとよい。上記テンプル取付溝からのテンプルの離脱を防止する離脱防止手段を有するとよい。上記イヤホンコード保持溝が上記テンプル取付溝の上方に形成されるとよい。当該イヤホンコード保持具は、補聴器のイヤホンコード保持用に用いられるとよい。【選択図】図１
2015210430.tif 000002
【特許請求の範囲】
【請求項１】
眼鏡のテンプルに取り付けられると共にイヤホンコードを保持する合成樹脂製の保持具本体を備え、
上記保持具本体が、
側方に向けて開口し上記テンプルに外嵌着されるテンプル取付溝と、
上方に向けて開口すると共にテンプル取付溝の形成方向に沿って形成されるイヤホンコード保持溝と
を有するイヤホンコード保持具。
【請求項２】
上記保持具本体がポリ塩化ビニルを主成分として含む請求項１に記載のイヤホンコード保持具。
【請求項３】
上記テンプル取付溝からのテンプルの離脱を防止する離脱防止手段を有する請求項１又は請求項２に記載のイヤホンコード保持具。
【請求項４】
上記イヤホンコード保持溝が上記テンプル取付溝の上方に形成される請求項１、請求項２又は請求項３に記載のイヤホンコード保持具。
【請求項５】
補聴器のイヤホンコード保持用に用いられる請求項１から請求項４のいずれか１項に記載のイヤホンコード保持具。
【発明の詳細な説明】
【技術分野】
【０００１】
本発明は、イヤホンコード保持具に関する。
【背景技術】
【０００２】
従来、補聴器としては、耳あな型、耳かけ型、ポケット型等、種々の種類のものが存在している。これらの補聴器のうち、耳あな型は、個々人の耳の形状及び聞こえの程度に合わせてオーダーメイドで作られるものである。一方、耳かけ型、ポケット型は、本体とイヤホンとがイヤホンコードによって連結されたもので、オーダーメイドの必要がない汎用品として普及している。
【０００３】
また、このような補聴器としては、眼鏡と一体化された眼鏡型補聴器も存在している。しかしながら、このような眼鏡型補聴器は、補聴器を眼鏡から取り外すことができないため、補聴器のみを使用したい場合の使用性に欠ける。さらに、このような眼鏡型補聴器は、一定の重量を有するため、長時間使用する場合に疲労が助長されるという不都合も有する。そのため、今日では、眼鏡と補聴器とを同時に用いる場合であっても、耳かけ型又はポケット型の補聴器を用いる人が多くなっている。
【０００４】
しかしながら、眼鏡と耳かけ型補聴器又はポケット型補聴器とを同時に使用する場合、眼鏡のテンプルと補聴器のイヤホンコードとが絡まるおそれがあり、またこのような絡まりによってイヤホンが耳から脱落するおそれもある。
【０００５】
なお、今日では、眼鏡のテンプルとイヤホンコードとを連結することでイヤホンの脱落を抑制可能なイヤホンコード受け具が発案されている（実用新案登録第３００５５９９号公報参照）。
【０００６】
しかしながら、この公報所載のイヤホンコード受け具は、眼鏡のテンプルの軸方向に対してスライド自在に構成されているため、イヤホンコードのたるみ等を好適に防止することができない。また、このイヤホンコード受け具は、眼鏡のテンプルの径方向に対しても揺動されるため、眼鏡の装着者の頬等にイヤホンコード受け具が断続的に当たり、装着感が悪い。なお、このイヤホンコード受け具は、眼鏡のテンプルに接着又は粘着されてもよいとされているものの、この場合、一旦取り付けたイヤホンコード受け具を取り外すのが困難になり、眼鏡自体の美観を損なうという不都合を有する。
【先行技術文献】
【特許文献】
【０００７】
【特許文献１】実用新案登録第３００５５９９号公報
【発明の概要】
【発明が解決しようとする課題】
【０００８】
本発明は、このような事情に鑑みてなされたものであり、眼鏡のテンプルに的確に取付け可能であると共に、着脱容易でかつ使用性に優れるイヤホンコード保持具の提供を目的とするものである。
【課題を解決するための手段】
【０００９】
上記課題を解決するためになされた本発明に係るイヤホンコード保持具は、眼鏡のテンプルに取り付けられると共にイヤホンコードを保持する合成樹脂製の保持具本体を備え、上記保持具本体が、側方に向けて開口し上記テンプルに外嵌着されるテンプル取付溝と、上方に向けて開口すると共にテンプル取付溝の形成方向に沿って形成されるイヤホンコード保持溝とを有する。
【００１０】
当該イヤホンコード保持具は、テンプル取付溝が眼鏡のテンプルに外嵌着されることで眼鏡のテンプルに装着されると共に、イヤホンコード保持溝がイヤホンコードを下方から支持することでイヤホンコードを保持可能に構成されている。当該イヤホンコード保持具は、保持具本体が合成樹脂製であることから弾性変形可能に形成されており、着脱容易性を有する。当該イヤホンコード保持具は、テンプル取付溝が眼鏡のテンプルに外嵌着されるので、眼鏡のテンプルに対して比較的強固に連結され、イヤホンコードのたるみを好適に防止することができる。当該イヤホンコード保持具は、イヤホンコード保持溝によってイヤホンコードを下方から支持することができるので、イヤホンコードの脱落を抑制することができる。さらに、当該イヤホンコード保持具は、イヤホンコード保持溝がテンプル取付溝の形成方向に沿って形成されるので、このイヤホンコード保持溝によって保持されるイヤホンコードは眼鏡のテンプルの軸方向と略平行に保たれる。それゆえ、当該イヤホンコード保持具によると、眼鏡の装着者の頬等と眼鏡のテンプルとの間にイヤホンコードが挟まれるおそれが低い。従って、当該イヤホンコード保持具は、例えばチューブ状のイヤホンコードが用いられた場合でも、イヤホンコードの挟まりによってチューブ内の空間が圧縮されるおそれが低い。
【００１１】
上記保持具本体がポリ塩化ビニルを主成分として含むとよい。これにより、適度な硬度、弾性等を有する保持具本体が容易に製造され、装着性及び着脱作業性がさらに向上される。
【００１２】
上記テンプル取付溝からのテンプルの離脱を防止する離脱防止手段を有するとよい。これにより、眼鏡のテンプルにさらに的確に装着することができる。
【００１３】
上記イヤホンコード保持溝が上記テンプル取付溝の上方に形成されるとよい。これにより、イヤホンコードをさらに安定的に保持することができる。また、かかる構成によると、眼鏡の装着者が眼鏡の位置合わせ等のためにテンプルに触れる際にイヤホンコードが邪魔になるおそれを低下することができる。
【００１４】
当該イヤホンコード保持具は、補聴器のイヤホンコード保持用に用いられるとよい。これにより、補聴器の使用性を好適に向上することができる。
【００１５】
なお、「主成分」とは、最も含有量の多い成分をいい、例えば含有量が５０質量％以上の成分をいう。
【発明の効果】
【００１６】
以上説明したように、本発明のイヤホンコード保持具は、眼鏡のテンプルに的確に取付け可能であると共に、着脱容易でかつ使用性に優れる。
【図面の簡単な説明】
【００１７】
【図１】本発明の第一実施形態に係るイヤホンコード保持具を示す模式的正面図である。
【図２】図１のイヤホンコード保持具の装着状態を示す模式図である。
【図３】本発明の第二実施形態に係るイヤホンコード保持具を示す模式的正面図である。
【図４】図１及び図３のイヤホンコード保持具とは異なる形態に係るイヤホンコード保持具を示す模式的正面図である。
【発明を実施するための形態】
【００１８】
以下、適宜図面を参照しつつ、本発明の実施の形態を詳説する。
【００１９】
［第一実施形態］
＜イヤホンコード保持具＞
図１のイヤホンコード保持具１は、補聴器のイヤホンコードを保持する。イヤホンコード保持具１は、眼鏡のテンプルに取り付けられると共にイヤホンコードを保持する合成樹脂製の保持具本体から構成される。イヤホンコード保持具１は、上壁４、側壁５及び底壁６を具備する下部２と、上壁４の両端から上方に延設される一対の挟持壁７を具備する上部３とを有する。イヤホンコード保持具１は、側方に向けて開口し、眼鏡のテンプルに外嵌着されるテンプル取付溝８と、上方に向けて開口すると共にテンプル取付溝８の形成方向に沿って形成されるイヤホンコード保持溝９とを有する。イヤホンコード保持具１は、奥行き（テンプル取付溝８の形成方向及びイヤホンコード保持溝９の形成方向）及び幅が略一定の平面視略矩形状に形成されている。
【００２０】
上記合成樹脂としては、一定の弾性を有すると共に、テンプル取付溝８が眼鏡のテンプルの側方に外嵌着可能な硬度を有する限り特に限定されない。このような合成樹脂としては、例えばポリ塩化ビニル、ポリアクリル、ポリエチレン、ポリプロピレン、ポリスチレン、シリコーン系樹脂、ポリウレタン、ポリビニルアルコール、ポリ塩化ビニリデン、塩素化ポリエチレン、エチレン−ビニルアルコール共重合樹脂等が挙げられ、これらを単独で又は２種以上を組み合わせて用いることができる。なかでも、適度な硬度、弾性等を有し、装着性及び着脱作業性を好適に向上可能なポリ塩化ビニルが特に好ましい。
【００２１】
上記ポリ塩化ビニルの含有量の下限としては、５０質量％が好ましく、９０質量％がより好ましく、９８質量％がさらに好ましい。上記ポリ塩化ビニルの含有量が上記下限未満の場合、硬度、弾性等の調整が困難になるおそれがある。
【００２２】
また、イヤホンコード保持具１は、上記合成樹脂以外にその他の添加剤をさらに含有していてもよい。その他の添加剤としては、例えば可塑剤、安定剤、増粘剤等が挙げられる。
【００２３】
上記合成樹脂の曲げ強度の下限としては、８０ＭＰａが好ましく、８２ＭＰａがより好ましく、８５ＭＰａがさらに好ましい。一方、上記合成樹脂の曲げ強度の上限としては、９５ＭＰａが好ましく、９３ＭＰａがより好ましく、９０ＭＰａがさらに好ましい。上記合成樹脂の曲げ強度が上記下限未満の場合、眼鏡のテンプルやイヤホンコードの着脱時に破損するおそれが高くなる。逆に、上記合成樹脂の曲げ強度が上記上限を超える場合、十分な弾性が得られず、テンプル取付溝８の眼鏡のテンプルに対する着脱作業性が低下するおそれがある。なお、「曲げ強度」とは、ＪＩＳ−Ｋ−７１７１（２００８）に準拠した値である。
【００２４】
上記合成樹脂の曲げ弾性率の下限としては、２７００ＭＰａが好ましく、２７５０ＭＰａがより好ましい。一方、上記合成樹脂の曲げ弾性率の上限としては、２９００ＭＰａが好ましく、２８５０ＭＰａがより好ましい。上記合成樹脂の曲げ弾性率が上記下限未満の場合、眼鏡のテンプルやイヤホンコードの着脱時に破損するおそれが高くなる。逆に、上記合成樹脂の曲げ弾性率が上記上限を超える場合、十分な弾性が得られず、テンプル取付溝８の眼鏡のテンプルに対する着脱作業性が低下するおそれがある。なお、「曲げ弾性率」とは、ＪＩＳ−Ｋ−７１７１（２００８）に準拠した値である。
【００２５】
上記合成樹脂の引張強度の下限としては、５０ＭＰａが好ましく、５２ＭＰａがより好ましく、５５ＭＰａがさらに好ましい。一方、上記合成樹脂の引張強度の上限としては、６５ＭＰａが好ましく、６３ＭＰａがより好ましく、６０ＭＰａがさらに好ましい。上記合成樹脂の引張強度が上記下限未満の場合、眼鏡のテンプルやイヤホンコードの着脱時に破損するおそれが高くなる。逆に、上記合成樹脂の引張強度が上記上限を超える場合、十分な弾性が得られず、テンプル取付溝８の眼鏡のテンプルに対する着脱作業性が低下するおそれがある。なお、「引張強度」とは、ＪＩＳ−Ｋ−７１１３に準拠した値である。
【００２６】
テンプル取付溝８は、上壁４と、側壁５と、底壁６とによって形成される。上壁４及び底壁６は、略平行に配設される。また、側壁５は、上壁４及び底壁６の基端側に連結される。さらに、上壁４、側壁５及び底壁６の奥行き（テンプル取付溝８の形成方向長さ）は略同一とされる。
【００２７】
テンプル取付溝８の基端側の平均幅（ｄ１）としては、眼鏡のテンプルの上下方向幅と略同一である限り特に限定されるものではなく、例えば３ｍｍ以上１０ｍｍ以下とされる。
【００２８】
底壁６は、テンプル取付溝８からのテンプルの離脱を防止する離脱防止手段として、開口端側に上壁方向に隆起する隆起部１０を有する。隆起部１０の高さの下限としては、０．３ｍｍが好ましく、０．５ｍｍがより好ましく、０．７ｍｍがさらに好ましい。一方、隆起部１０の高さの上限としては、２．５ｍｍが好ましく、２ｍｍがより好ましく、１．５ｍｍがさらに好ましい。隆起部１０の高さが上記下限未満の場合、テンプル取付溝８を眼鏡のテンプルを外嵌着した状態でのテンプル離脱防止作用が十分に得られないおそれがある。逆に、隆起部１０の高さが上記上限を超える場合、眼鏡のテンプルへの着脱作業性が低下するおそれがある。
【００２９】
テンプル取付溝８の形成方向長さの下限としては、３ｍｍが好ましく、５ｍｍがより好ましい。一方、テンプル取付溝８の形成方向長さの上限としては、１２ｍｍが好ましく、１０ｍｍがより好ましい。テンプル取付溝８の形成方向長さが上記下限未満の場合、当該イヤホンコード保持具１を眼鏡のテンプルに装着した状態での当該イヤホンコード保持具１自体及び当該イヤホンコード保持具１によって保持されるイヤホンコードの装着安定性が低下するおそれがある。逆に、テンプル取付溝８の形成方向長さが上記上限を超える場合、当該イヤホンコード保持具１が不必要に大きくなり、着脱作業性及び当該イヤホンコード保持具１が装着された眼鏡の美観が低下するおそれがある。
【００３０】
イヤホンコード保持溝９は、上壁４と、上壁４の両側端から上方に延設される一対の挟持壁７とによってテンプル取付溝８の上方に形成される。上壁４及び一対の挟持壁７の奥行き（イヤホンコード保持溝９の形成方向長さ）は略同一である。イヤホンコード保持溝９の形成方向長さとしては、テンプル取付溝８の形成方向長さと同様である。
【００３１】
イヤホンコード保持溝９の基端側の平均幅（ｗ１）の下限としては、１ｍｍが好ましく、２ｍｍがより好ましい。一方、イヤホンコード保持溝９の基端側の平均幅（ｗ１）の上限としては、５ｍｍが好ましく、４ｍｍがより好ましい。イヤホンコード保持溝９の基端側の平均幅（ｗ１）が上記下限未満の場合、一対の挟持壁７でイヤホンコードを挟持するのが困難になるおそれがあり、また一対の挟持壁７でイヤホンコードを挟持できた場合でもイヤホンコード内の空間が一対の挟持壁７によって圧縮されるおそれがある。逆に、イヤホンコード保持溝９の基端側の平均幅（ｗ１）が上記上限を超える場合、イヤホンコードのぐらつきを好適に防止できないおそれがある。
【００３２】
一対の挟持壁７は、イヤホンコード保持溝９からのイヤホンコードの離脱を防止する離脱防止手段として、互いに対向する開口端側に隆起部１１を有する。隆起部１１の高さの下限としては、０．０５ｍｍが好ましく、０．０７ｍｍがより好ましく、０．１ｍｍがさらに好ましい。一方、隆起部１１の高さの上限としては、０．５ｍｍが好ましく、０．３ｍｍがより好ましく、０．２ｍｍがさらに好ましい。隆起部１１の高さが上記下限未満の場合、イヤホンコード保持溝９に支持されたイヤホンコードが開口側から脱落するおそれが高くなる。逆に、隆起部１１の高さが上記上限を超える場合、イヤホンコードの着脱作業性が低下するおそれがある。
【００３３】
＜イヤホンコード保持具の装着手順＞
次に、図２を参照して、当該イヤホンコード保持具１が耳かけ型補聴器保持用に用いられる場合の装着手順について説明する。
【００３４】
まず、ユーザは、イヤホンコード保持具１のテンプル取付溝８を眼鏡のテンプルに外嵌着させる。次に、ユーザは、耳かけ型補聴器本体２１を装着した状態で、イヤホンコード保持具１が取り付けられた眼鏡を装着する。続いて、ユーザは、イヤホンコード保持具１の一対の挟持壁７間にイヤホンコード２２を挿入し、イヤホンコード２２をイヤホンコード保持溝９によって支持させたうえ、イヤホン本体２３を耳穴に取り付ける。
【００３５】
＜利点＞
当該イヤホンコード保持具１は、テンプル取付溝８が眼鏡のテンプルに外嵌着されることで眼鏡のテンプルに装着されると共に、イヤホンコード保持溝９がイヤホンコードを下方から支持することでイヤホンコードを保持可能に構成されている。当該イヤホンコード保持具１は、保持具本体が合成樹脂製であることから弾性変形可能に形成されており、着脱容易性を有する。当該イヤホンコード保持具１は、テンプル取付溝８が眼鏡のテンプルに外嵌着されるので、眼鏡のテンプルに対して比較的強固に連結され、イヤホンコードのたるみを好適に防止することができる。当該イヤホンコード保持具１は、イヤホンコード保持溝９によってイヤホンコードを下方から支持することができるので、イヤホンコードの脱落を抑制することができる。さらに、当該イヤホンコード保持具１は、イヤホンコード保持溝９がテンプル取付溝８の形成方向に沿って形成されるので、このイヤホンコード保持溝９によって保持されるイヤホンコードは眼鏡のテンプルの軸方向と略平行に保たれる。それゆえ、当該イヤホンコード保持具１によると、眼鏡の装着者の頬等と眼鏡のテンプルとの間にイヤホンコードが挟まれるおそれが低い。従って、当該イヤホンコード保持具１は、例えばチューブ状のイヤホンコードが用いられた場合でも、イヤホンコードの挟まりによってチューブ内の空間が圧縮されるおそれが低い。
【００３６】
当該イヤホンコード保持具１は、テンプル取付溝８からのテンプルの離脱を防止する離脱防止手段を有するので、眼鏡のテンプルにさらに的確に装着することができる。
【００３７】
当該イヤホンコード保持具１は、イヤホンコード保持溝９がテンプル取付溝８の上方に形成されるので、眼鏡のテンプルにテンプル取付溝８が外嵌着された状態においてイヤホンコードの重みよって横方向のバランスが崩れることが防止される。それゆえ、当該イヤホンコード保持具１は、イヤホンコードをさらに安定的に保持することができる。また、当該イヤホンコード保持具１は、イヤホンコード保持溝９がテンプル取付溝８の上方に形成されることによって、イヤホンコードが眼鏡のテンプルよりも上方で保持されることになる。それゆえ、当該イヤホンコード保持具１は、眼鏡の装着者が眼鏡の位置合わせ等のためにテンプルに触れる際にイヤホンコードが邪魔になるおそれを低下することができる。
【００３８】
当該イヤホンコード保持具１は、補聴器のイヤホンコード保持用に用いられるので、上述のように補聴器の使用性を好適に向上することができる。
【００３９】
［第二実施形態］
＜イヤホンコード保持具＞
図３のイヤホンコード保持具３１は、補聴器のイヤホンコードを保持する。イヤホンコード保持具３１は、眼鏡のテンプルに取り付けられると共にイヤホンコードを保持する合成樹脂製の保持具本体３２と、棒状部材３３とを有する。保持具本体３２は、上壁３６、側壁３７及び底壁３８を具備する下部３４と、上壁３６の両端から上方に延設される一対の挟持壁３９を具備する上部３５とを有する。保持具本体３２は、側方に向けて開口し、眼鏡のテンプルに外嵌着されるテンプル取付溝４０と、上方に向けて開口すると共にテンプル取付溝４０の形成方向に沿って形成されるイヤホンコード保持溝４１とを有する。保持具本体３２は、奥行き（テンプル取付溝４０の形成方向及びイヤホンコード保持溝４１の形成方向）及び幅が略一定の平面視略矩形状に形成されている。保持具本体３２の形成材料としては、図１のイヤホンコード保持具１と同様である。また、上記合成樹脂の曲げ強度、曲げ弾性率、引張強度としては、図１のイヤホンコード保持具１と同様である。
【００４０】
テンプル取付溝４０は、上壁３６と、側壁３７と、底壁３８とによって形成される。上壁３６及び底壁３８は、略平行に配設される。また、側壁３７は、上壁３６及び底壁３８の基端側に連結されている。さらに、上壁３６、側壁３７及び底壁３８の奥行き（テンプル取付溝４０の形成方向長さ）は略同一とされている。テンプル取付溝４０の基端側の平均幅（ｄ２）としては、図１のテンプル取付溝８の基端側の平均幅（ｄ１）と同様である。テンプル取付溝４０の形成方向長さとしては、図１のテンプル取付溝８の形成方向長さと同様である。
【００４１】
棒状部材３３は、テンプル取付溝４０からのテンプルの離脱を防止する離脱防止手段として設けられている。棒状部材３３は、上壁３６の開口側の端部及び底壁３８の開口側の端部に連結されている。
【００４２】
棒状部材３３は、例えばビスからなり、眼鏡のテンプルがテンプル取付溝４０に外嵌着された状態で上壁３６の開口側の端部及び底壁３８の開口側の端部に螺合される。棒状部材３３は、上壁３６又は底壁３８との螺合位置を調整されることでテンプル取付溝４０の開口幅を調整する。なお、棒状部材３３は、テンプル取付溝４０の開口幅を調整できる限り必ずしもビスからなる必要はなく、例えばテンプル取付溝４０の開口幅を上下方向に付勢するバネであってもよい。
【００４３】
イヤホンコード保持溝４１は、上壁３６と、上壁３６の両端側から上方に延設される一対の挟持壁３９とによってテンプル取付溝４０の上方に形成される。上壁３６及び一対の挟持壁３９の奥行き（イヤホンコード保持溝４１の形成方向長さ）は略同一である。イヤホンコード保持溝４１の形成方向長さとしては、テンプル取付溝４０の形成方向長さと同様である。
【００４４】
イヤホンコード保持溝４１は、イヤホンコード保持溝４１からのイヤホンコードの離脱を防止する離脱防止手段として、基端から開口端にかけて徐々に幅狭に構成されている。イヤホンコード保持溝４１の基端における平均幅（ｗ２）としては、図１のイヤホンコード保持溝９の基端側の平均幅（ｗ１）と同様である。
【００４５】
また、イヤホンコード保持溝４１の基端における平均幅とイヤホンコード保持溝４１の開口端における平均幅との差の下限としては、０．０５ｍｍが好ましく、０．１ｍｍがより好ましく、０．１５ｍｍがさらに好ましい。一方、イヤホンコード保持溝４１の基端における平均幅とイヤホンコード保持溝４１の開口端における平均幅との差の上限としては、０．３５ｍｍが好ましく、０．３ｍｍがより好ましく、０．２５ｍｍがさらに好ましい。上記平均幅の差が上記下限未満の場合、イヤホンコード保持溝４１に支持されたイヤホンコードが開口側から脱落するおそれが高くなる。逆に、上記平均幅の差が上記上限を超える場合、イヤホンコードの着脱作業性が低下するおそれがある。
【００４６】
＜利点＞
当該イヤホンコード保持具３１は、テンプル取付溝４０からのテンプルの離脱を防止する離脱防止手段として棒状部材３３を有するので、異なる径や形状を有する眼鏡のテンプルに対しても好適に装着することができる。また、当該イヤホンコード保持具３１は、棒状部材３３を有することにより、眼鏡のテンプルに対してさらに的確に装着することができる。
【００４７】
［その他の実施形態］
なお、本発明のイヤホンコード保持具は、上記態様の他、種々の変更、改良を施した態様で実施することができる。
【００４８】
例えば、当該イヤホンコード保持具は、必ずしもテンプル取付溝からのテンプルの離脱を防止する離脱防止手段を有する必要はない。当該イヤホンコード保持具は、かかる離脱防止手段を有しない場合でも、テンプル取付溝の開口幅を眼鏡のテンプルの上下方向幅に合わせて形成することで、テンプルに好適に外嵌着されることができる。また、当該イヤホンコード保持具は、離脱防止手段として、底壁の開口側に上壁方向に隆起する隆起部を有すると共に、上壁の開口側に底壁方向に隆起する隆起部を有してもよい。当該イヤホンコード保持具は、かかる構成によれば、テンプル取付溝からのテンプルの離脱をさらに効果的に防止することができる。
【００４９】
当該イヤホンコード保持具は、必ずしもイヤホンコード保持溝からのイヤホンコードの離脱を防止する離脱防止手段を有する必要はない。当該イヤホンコード保持具は、イヤホンコード保持溝によってイヤホンコードを下方から支持することができるため、例えばイヤホンコード保持溝を形成する一対の挟持壁が略平行に形成される場合であっても、イヤホンコードの脱落を抑制することができる。
【００５０】
当該イヤホンコード保持具は、必ずしもイヤホンコード保持溝がテンプル取付溝の上方に形成される必要はない。当該イヤホンコード保持具は、例えば図４に示すように、イヤホンコード保持溝５２がテンプル取付溝５１の側方に形成される場合でも、テンプル取付溝５１によって眼鏡のテンプルに好適に装着されると共に、イヤホンコード保持溝５２によってイヤホンコードを支持することができる。
【００５１】
当該イヤホンコード保持具は、必ずしも耳かけ型のイヤホンコード保持用に用いられる必要はなく、例えばポケット型の補聴器や、音響機器その他電子機器のイヤホンコード保持具として用いることができる。
【産業上の利用可能性】
【００５２】
以上のように、本発明のイヤホンコード保持具は、眼鏡のテンプルに的確に取付け可能であると共に、着脱容易でかつ使用性に優れ、耳かけ型の補聴器等のイヤホンコード保持具として適している。
【符号の説明】
【００５３】
１  イヤホンコード保持具（保持具本体）
２  下部
３  上部
４  上壁
５  側壁
６  底壁
７  挟持壁
８  テンプル取付溝
９  イヤホンコード保持溝
１０  隆起部
１１  隆起部
２１  補聴器本体
２２  イヤホンコード
２３  イヤホン本体
３１  イヤホンコード保持具
３２  保持具本体
３３  棒状部材
３４  下部
３５  上部
３６  上壁
３７  側壁
３８  底壁
３９  挟持壁
４０  テンプル取付溝
４１  イヤホンコード保持溝
５１  テンプル取付溝
５２  イヤホンコード保持溝
【図１】
2015210430.tif 000003
【図２】
2015210430.tif 000004
【図３】
2015210430.tif 000005
【図４】
2015210430.tif 000006
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
眼鏡のテンプルに取り付けられると共にイヤホンコードを保持する合成樹脂製の保持具本体を備え、
上記保持具本体が、
側方に向けて開口し上記テンプルに外嵌着されるテンプル取付溝と、
上方に向けて開口すると共にテンプル取付溝の形成方向に沿って形成されるイヤホンコード保持溝と
を有し、
上記イヤホンコード保持溝が上記テンプル取付溝の上方に形成されるイヤホンコード保持具。
【請求項２】
上記保持具本体がポリ塩化ビニルを主成分として含む請求項１に記載のイヤホンコード保持具。
【請求項３】
上記テンプル取付溝からのテンプルの離脱を防止する離脱防止手段を有する請求項１又は請求項２に記載のイヤホンコード保持具。
【請求項４】
補聴器のイヤホンコード保持用に用いられる請求項１、請求項２又は請求項３に記載のイヤホンコード保持具。
【手続補正２】
【補正対象書類名】明細書
【補正対象項目名】０００９
【補正方法】変更
【補正の内容】
【０００９】
上記課題を解決するためになされた本発明に係るイヤホンコード保持具は、眼鏡のテンプルに取り付けられると共にイヤホンコードを保持する合成樹脂製の保持具本体を備え、上記保持具本体が、側方に向けて開口し上記テンプルに外嵌着されるテンプル取付溝と、上方に向けて開口すると共にテンプル取付溝の形成方向に沿って形成されるイヤホンコード保持溝とを有し、上記イヤホンコード保持溝が上記テンプル取付溝の上方に形成される。
【手続補正３】
【補正対象書類名】明細書
【補正対象項目名】００１３
【補正方法】変更
【補正の内容】
【００１３】
上記イヤホンコード保持溝が上記テンプル取付溝の上方に形成される。これにより、イヤホンコードをさらに安定的に保持することができる。また、かかる構成によると、眼鏡の装着者が眼鏡の位置合わせ等のためにテンプルに触れる際にイヤホンコードが邪魔になるおそれを低下することができる。